(57)【要約】  【課題】各シリンダへの混合気の分配をより均一にできる多気筒エンジンを提供する。  【解決手段】多気筒エンジンにおいて、スロットルボディ５内にスロットル吸気通路６を設け、このスロットル吸気通路６内にスロットル弁７を配置し、スロットルボディ５にインジェクタ８を取り付け、このインジェクタ８の先端部９をスロットル弁７よりも下流でスロットル吸気通路６内に臨ませ、インジェクタ８の先端部９に液体燃料噴射口１０をあけ、吸気圧検出センサ１５をインジェクタ８とともにスロットルボディ５に取り付け、吸気圧導入通路１８の通路入口１８ａを、インジェクタ８よりも上流で、スロットル吸気通路６の内周面に開口させた。【選択図】図１
2008038665.tif 000002
【特許請求の範囲】
【請求項１】
シリンダヘッド(１)に吸気分配通路(２)を取り付け、この吸気分配通路(２)で複数のシリンダ(３)に混合気を分配し、この吸気分配通路(２)の単一の分配通路入口(４)にスロットルボディ(５)を取り付け、このスロットルボディ(５)に液体燃料を供給するようにした、多気筒エンジンにおいて、
上記スロットルボディ(５)内にスロットル吸気通路(６)を設け、このスロットル吸気通路(６)内にスロットル弁(７)を配置し、上記スロットルボディ(５)にインジェクタ(８)を取り付け、このインジェクタ(８)の先端部(９)を上記スロットル弁(７)よりも下流で上記スロットル吸気通路(６)内に臨ませ、このインジェクタ(８)の先端部(９)に液体燃料噴射口(１０)をあけ、
上記スロットル吸気通路(６)の吸気圧を検出する吸気圧検出センサ(１５)とエンジン回転数を検出するエンジン回転数センサ(１６)とを制御手段(１７)を介して上記インジェクタ(８)に連携させ、上記吸気圧とエンジン回転数とに基づいて上記制御手段(１７)が上記インジェクタ(８)からの液体燃料噴射量を制御するようにし、
上記吸気圧検出センサ(１５)を上記インジェクタ(８)とともに上記スロットルボディ(５)に取り付け、
上記吸気圧検出センサ(１５)に上記スロットル吸気通路(６)内の吸気圧を導入する吸気圧導入通路(１８)を上記スロットルボディ(５)のスロットル吸気通路(６)の周壁内に設け、
上記吸気圧導入通路(１８)の通路入口(１８ａ)を、上記インジェクタ(８)よりも上流で、上記スロットル吸気通路(６)の内周面に開口させた、ことを特徴とする多気筒エンジン。
【請求項２】
請求項１に記載した多気筒エンジンにおいて、
断面が円形の前記スロットル吸気通路(６)を径方向に横断し、上記吸気圧導入通路(１８)の通路入口(１８ａ)に向かう横断線(１９)と、この横断線(１９)から上記吸気圧導入通路(１８)の通路入口(１８ａ)を経てスロットル吸気通路(６)外に延長される横断延長線(１９ａ)とを想定し、この横断延長線(１９ａ)に対して、上記吸気圧導入通路(１８)のなす角度が４５°以上で７５°以下となるように、キリ加工される吸気圧導入通路(１８)の向きを設定した、ことを特徴とする多気筒エンジン。
【請求項３】
請求項２に記載した多気筒エンジンにおいて、
前記スロットル吸気通路(６)の中心軸線(６ａ)と直交する投影図上で、前記横断延長線(１９ａ)に対して、前記吸気圧導入通路(１８)のなす角度(１８α)が４５°以上で７５°以下となるように、吸気圧導入通路(１８)の向きを設定した、ことを特徴とする多気筒エンジン。
【請求項４】
請求項２または請求項３に記載した多気筒エンジンにおいて、
前記スロットル弁(７)にバタフライ弁を用い、前記スロットル吸気通路(６)の中心軸線(６ａ)と上記スロットル弁(７)の弁軸(１２)とに平行な投影図上で、前記吸気圧導入通路(１８)の通路入口(１８ａ)が上記スロットル吸気通路(６)の中心軸線(６ａ)と重なるように、この吸気圧導入通路(１８)の通路入口(１８ａ)を配置し、
この吸気圧導入通路(１８)をその通路出口(１８ｂ)から通路入口(１８ｂ)に向けて下り傾斜させ、上記スロットル吸気通路(６)の中心軸線(６ａ)からこのスロットル吸気通路(６)の通路入口(６ｂ)を経てスロットル吸気通路(６)外に延長される延長軸線(６ｃ)を想定し、上記スロットル吸気通路(６)の中心軸線(６ａ)と上記スロットル弁(７)の弁軸(１２)とに平行な投影図上で、上記スロットル吸気通路(６)の延長軸線(６ｃ)に対して、上記吸気圧導入通路(１８)のなす角度(１８β)が４５°以上で７５°以下となるように、吸気圧導入通路(１８)の向きを設定した、ことを特徴とする多気筒エンジン。
【請求項５】
請求項１から請求項４のいずれかに記載した多気筒エンジンにおいて、
前記スロットルボディ(５)に前記吸気圧検出センサ(１５)の取付孔(２０)をあけ、この取付孔(２０)に前記吸気圧導入通路(１８)を連通させ、
上記取付孔(２０)を下向きに形成し、この取付孔(２０)に上記吸気圧検出センサ(１５)を取り付け、この取付孔(２０)の下方に液体燃料溜め(２１)を設け、この液体燃料溜め(２１)の上部で上記吸気圧導入通路(１８)の通路出口(１８ｂ)を開口させた、ことを特徴とする多気筒エンジン。
【請求項６】
請求項１から請求項５のいずれかに記載した多気筒エンジンにおいて、
前記スロットル吸気通路(６)の中心軸線(６ａ)の方向を前後方向、前記スロットル弁(７)の弁軸(１２)よりも下流側を後とし、
上記スロットル弁(７)の弁軸(１２)と平行な向きに見て、前後方向と直交する方向を左右横方向として、
上記スロットル入力アーム(２２)の後に前記インジェクタ(８)を配置し、上記スロットル入力アーム(２２)の横に前記吸気圧検出センサ(１５)の取付孔(２０)のボス(２０ａ)を配置した、ことを特徴とする多気筒エンジン。
【請求項７】
請求項６に記載した多気筒エンジンにおいて、
前記吸気圧検出センサ(１５)の取付孔(２０)のボス(２０ａ)を前記スロットル入力アーム(２２)の揺動のストッパとして兼用した、ことを特徴とする多気筒エンジン。
【発明の詳細な説明】
【技術分野】
【０００１】
本発明は、多気筒エンジンに関し、詳しくは、各シリンダへの混合気の分配をより均一にできる多気筒エンジンに関するものである。
【背景技術】
【０００２】
従来の多気筒エンジンとして、本発明と同様、シリンダヘッドに吸気分配通路を取り付け、この吸気分配通路で複数のシリンダに混合気を分配し、この吸気分配通路の単一の分配通路入口にスロットルボディを取り付け、このスロットルボディに液体燃料を供給するようにしたものがある(例えば、特許文献１参照)。
この種の多気筒エンジンは、単一のスロットルボディで各シリンダに混合気を供給できる利点がある。
【０００３】
しかし、上記従来の多気筒エンジンでは、スロットルボディへの液体燃料の供給にキャブレータを用いているので、問題がある。
【０００４】
【特許文献１】特開平１０−２２０２９５号公報(図１、図２参照)
【発明の開示】
【発明が解決しようとする課題】
【０００５】
上記従来技術では、次の問題がある。
《問題》  各シリンダへの混合気の分配が不均一になるおそれがある。
スロットルボディへの液体燃料の供給にキャブレータを用いているため、液体燃料の霧化が不十分で、吸気分配通路での混合気の濃度分布が不均一になりやすく、各シリンダへの混合気の分配が不均一になるおそれがある。
【０００６】
本発明は、上記問題点を解決することができる多気筒エンジン、すなわち、各シリンダへの混合気の分配をより均一にできる多気筒エンジンを提供することを課題とする。
【課題を解決するための手段】
【０００７】
請求項１に係る発明の発明特定事項は、次の通りである。
図６に例示するように、シリンダヘッド(１)に吸気分配通路(２)を取り付け、この吸気分配通路(２)で複数のシリンダ(３)に混合気を分配し、図１(Ａ)に例示するように、この吸気分配通路(２)の単一の分配通路入口(４)にスロットルボディ(５)を取り付け、このスロットルボディ(５)に液体燃料を供給するようにした、多気筒エンジンにおいて、
図１(Ａ)(Ｂ)に例示するように、上記スロットルボディ(５)内にスロットル吸気通路(６)を設け、このスロットル吸気通路(６)内にスロットル弁(７)を配置し、上記スロットルボディ(５)にインジェクタ(８)を取り付け、このインジェクタ(８)の先端部(９)を上記スロットル弁(７)よりも下流で上記スロットル吸気通路(６)内に臨ませ、このインジェクタ(８)の先端部(９)に液体燃料噴射口(１０)をあけ、
図１(Ａ)に例示するように、上記スロットル吸気通路(６)の吸気圧を検出する吸気圧検出センサ(１５)とエンジン回転数を検出するエンジン回転数センサ(１６)とを制御手段(１７)を介して上記インジェクタ(８)に連携させ、上記吸気圧とエンジン回転数とに基づいて上記制御手段(１７)が上記インジェクタ(８)からの液体燃料噴射量を制御するようにし、
上記吸気圧検出センサ(１５)を上記インジェクタ(８)とともに上記スロットルボディ(５)に取り付け、
上記吸気圧検出センサ(１５)に上記スロットル吸気通路(６)内の吸気圧を導入する吸気圧導入通路(１８)を上記スロットルボディ(５)のスロットル吸気通路(６)の周壁内に設け、
上記吸気圧導入通路(１８)の通路入口(１８ａ)を、上記インジェクタ(８)よりも上流で、上記スロットル吸気通路(６)の内周面に開口させた、ことを特徴とする多気筒エンジン。
【発明の効果】
【０００８】
（請求項１に係る発明）
《効果》  各シリンダへの混合気の分配をより均一にできる。
図１(Ａ)(Ｂ)に例示するように、インジェクタ(８)の先端部(９)をスロットル弁(７)よりも下流でスロットル吸気通路(６)内に臨ませ、このインジェクタ(８)の先端部(９)に液体燃料噴射口(１０)をあけているので、液体燃料噴射口(１０)から噴射された液体燃料の微細な油滴がスロットル弁(７)の下流で生じる後流(乱流)に巻き込まれ、液体燃料の霧化が促進され、吸気分配通路(２)での混合気の濃度分布がより均一になり、各シリンダ(３)への混合気の分配をより均一にできる。
【０００９】
《効果》  各シリンダに混合気をより均一に分配できる機能が高い。
図１(Ａ)に例示するように、吸気圧導入通路(１８)の通路入口(１８ａ)を、上記インジェクタ(８)よりも上流で、上記スロットル吸気通路(６)の内周面に開口させたので、インジェクタ(８)の液体燃料噴射口(１０)から噴射された液体燃料は吸気の流れによって吸気圧導入通路(１８)の通路入口(１８ａ)から遠ざけられ、吸気圧導入通路(１８)に液体燃料が進入しにくい。このため、吸気圧検出センサ(１５)による吸気圧の検出が安定化し、インジェクタ(８)からの燃料噴射量が不要に変動する不具合がなくなり、各シリンダ(３)に混合気をより均一に分配できる機能が高い。
【００１０】
《効果》  燃料供給装置がコンパクトになる。
図１(Ａ)に例示するように、吸気圧検出センサ(１５)をインジェクタ(８)とともにスロットルボディ(５)に取り付けたので、燃料供給関連部品がスロットルボディ(５)に集約化され、燃料供給装置がコンパクトになる。
【００１１】
（請求項２に係る発明）
請求項１に係る発明の効果に加え、次の効果を奏する。
《効果》  各シリンダに混合気をより均一に分配できる機能が高い。
図４(Ａ)に例示する横断延長線(１９ａ)に対して、吸気圧導入通路(１８)のなす角度が４５°以上となるように、吸気圧導入通路(１８)の向きを設定したので、吸気圧導入通路(１８)の方向がスロットル吸気通路(６)の径方向よりも接線方向に近づき、吸気導入通路(１８)の通路断面積を小さくしても、吸気圧導入通路(１８)の通路入口(１８ａ)の開口面積を大きくとることができる。このため、吸気導入通路(１８)の通路断面積を小さくして、吸気圧の脈動の影響を受けにくくすると同時に、吸気通路(１８)の通路入口(１８ａ)の開口面積を大きくして、この通路入口(１８ａ)に液体燃料が詰まるのを防止できる。このため、吸気圧検出センサ(１５)による吸気圧の検出が安定化し、インジェクタ(８)からの燃料噴射量が不要に変動する不具合がなくなり、各シリンダ(３)に混合気をより均一に分配できる機能が高い。
【００１２】
《効果》  吸気圧導入通路のキリ加工が容易になる。
図４(Ａ)に例示する横断延長線(１９ａ)に対して、吸気圧導入通路(１８)のなす角度が７５°以下となるように、吸気圧導入通路(１８)の向きを設定したので、吸気圧導入通路(１８)の向きがスロットル吸気通路(６)の内周面の接線方向に近づき過ぎる不具合がなく、吸気圧導入通路(１８)のキリ加工が容易になる。
【００１３】
（請求項３に係る発明）
請求項２に係る発明の効果に加え、次の効果を奏する。
《効果》  吸気圧導入通路のキリ加工が容易になる。
図４(Ａ)に例示するように、スロットル吸気通路(６)の中心軸線(６ａ)と直交する投影図上で、横断延長線(１９ａ)に対して、吸気圧導入通路(１８)のなす角度(１８α)が４５°以上となるように、吸気圧導入通路(１８)の向きを設定するので、吸気圧導入通路(１８)の向きがスロットル吸気通路(６)の軸長方向に近づき過ぎて、吸気圧導入通路(１８)が不要に長くなる不具合がなく、吸気圧導入通路(１８)のキリ加工が容易になる。また、図４(Ａ)に例示するように、スロットル吸気通路(６)の中心軸線(６ａ)と直交する投影図上で、横断延長線(１９ａ)に対して、吸気圧導入通路(１８)のなす角度(１８α)が７５°以下となるように、吸気圧導入通路(１８)の向きを設定するので、吸気圧導入通路(１８)の向きがスロットル吸気通路(６)の内周面の接線方向に近づき過ぎる不具合がなく、吸気圧導入通路(１８)のキリ加工が容易になる。
【００１４】
（請求項４に係る発明）
請求項２または請求項３に係る発明の効果に加え、次の効果を奏する。
《効果》  各シリンダに混合気をより均一に分配できる機能が高い。
図５(Ｂ)に例示するように、スロットル弁(７)にバタフライ弁を用い、スロットル吸気通路(６)の中心軸線(６ａ)とスロットル弁(７)の弁軸(１２)とに平行な投影図上で、吸気圧導入通路(１８)の通路入口(１８ａ)がスロットル吸気通路(６)の中心軸線(６ａ)と重なるように、この吸気圧導入通路(１８)の通路入口(１８ａ)を配置したので、スロットル弁(６)の脇を通過する高速の吸気が吸気圧導入通路(１８)の通路入口(１８ａ)の脇を通過し、吸気圧導入通路(１８)の通路入口(１８ａ)に詰まった液体燃料が吸気の負圧によってスロットル吸気通路(１８)に向けて吸引され、吸気圧導入通路(１８)の通路入口(１８ａ)に液体燃料が詰まりにくい。
また、吸気圧導入通路(１８)をその通路出口(１８ｂ)から通路入口(１８ｂ)に向けて下り傾斜させ、上記投影図上で、スロットル吸気通路(６)の延長軸線(６ｃ)に対して、吸気圧導入通路(１８)のなす角度(１８β)が４５°以上で７５°以下となるように、吸気圧導入通路(１８)の向きを設定した。このため、上記角度(１８β)が４５°未満の場合に比べ、吸気圧導入通路(１８)に進入した液体燃料が自重で流出しやすい。また、上記角度(１８β)が７５°を越える場合に比べ、吸気圧導入通路(１８)がスロットル吸気通路(６)の軸長方向に長くなる分だけ、吸気導入通路(１８)の通路断面積に比べて、吸気導入通路(１８)の通路入口(１８ａ)の開口面積を大きくとることができ、吸気導入通路(１８)の通路断面積を小さくして、吸気圧の脈動の影響を受けにくくすると同時に、吸気通路(１８)の通路入口(１８ａ)の開口面積を大きくして、この通路入口(１８ａ)に液体燃料が詰まるのを防止できる。
以上の理由により、吸気圧検出センサ(１５)による吸気圧の検出が安定化し、インジェクタ(８)からの燃料噴射量が不要に変動する不具合がなくなり、各シリンダ(３)に混合気をより均一に分配できる機能が高い。
【００１５】
（請求項５に係る発明）
請求項１から請求項４のいずれかに係る発明の効果に加え、次の効果を奏する。
《効果》  各シリンダに混合気をより均一に分配できる機能が高い。
図５(Ａ)に例示するように、取付孔(２０)を下向きに形成し、この取付孔(２０)に吸気圧検出センサ(１５)を取り付け、この取付孔(２０)の下方に液体燃料溜め(２１)を設け、この液体燃料溜め(２１)の上部で吸気圧導入通路(１８)の通路出口(１８ｂ)を開口させたので、吸気圧導入通路(１８)に進入した液体燃料は、吸気圧導入通路(１８)の通路入口(１８ａ)からスロットル吸気通路(６)に流出する他、吸気圧導入通路(１８)の通路出口(１８ｂ)から液体燃料溜め(２１)に流出することもでき、吸気圧導入通路(１８)での液体燃料の詰まりが起こりにくい。また、吸気圧導入通路(１８)に進入した液体燃料やごみは液体燃料溜め(２１)に溜まり、吸気圧検出センサ(１５)に接触しないため、吸気圧検出センサ(１５)の故障や感度の低下を防止できる。このため、吸気圧検出センサ(１５)による吸気圧の検出が安定化し、インジェクタ(８)からの燃料噴射量が不要に変動する不具合がなくなり、各シリンダ(３)に混合気をより均一に分配できる機能が高い。
【００１６】
（請求項６に係る発明）
請求項１から請求項５のいずれかに係る発明の効果に加え、次の効果を奏する。
《効果》  燃料供給装置がコンパクトになる。
図３(Ａ)に例示するように、スロットル入力アーム(２２)の後にインジェクタ(８)を配置し、スロットル入力アーム(２２)の横に吸気圧検出センサ(１５)の取付孔(２０)のボス(２０ａ)を配置したので、スロットル入力アーム(２２)の後空間と横空間とをそれぞれインジェクタ(８)とボス(２０ａ)の配置空間として有効利用することができ、燃料供給関連部品がスロットルボディ(５)に集約化され、燃料供給装置がコンパクトになる。
【００１７】
（請求項７に係る発明）
請求項６に係る発明の効果に加え、次の効果を奏する。
《効果》  部品点数を削減できる。
図３(Ａ)に例示するように、吸気圧検出センサ(１５)の取付孔(２０)のボス(２０ａ)をスロットル入力アーム(２２)の揺動のストッパとして兼用したので、別にスロットル入力アーム(２２)専用の揺動のストッパを設ける必要がなく、部品点数を削減できる。
【発明を実施するための最良の形態】
【００１８】
本発明の実施の形態を図面に基づいて説明する。図１から図７は本発明の実施形態に係る多気筒エンジンを説明する図で、この実施形態では、立形水冷式の直列３気筒エンジンについて説明する。
【００１９】
本発明の実施形態の概要は、次の通りである。
図７に示すように、このエンジンは、シリンダブロック(２４)の上部にシリンダヘッド(１)を組み付け、シリンダヘッド(１)の上部にヘッドカバー(２５)を組み付け、シリンダブロック(２５)の下部にオイルパン(２６)を組み付け、シリンダブロック(２４)の前部にギヤケース(２７)を組み付け、シリンダブロック(２４)の後部にフライホイル(２８)を配置して構成されている。ギヤケース(２７)の前部にはエンジン冷却ファン(２９)を配置している。
【００２０】
図６に示すように、シリンダヘッド(１)に吸気分配通路(２)を取り付け、この吸気分配通路(２)で複数のシリンダ(３)に混合気を分配し、この吸気分配通路(２)の単一の分配通路入口(４)にスロットルボディ(５)を取り付け、このスロットルボディ(５)に液体燃料を供給するようにしている。
【００２１】
吸気分配通路(２)は一般に吸気マニホルドと呼ばれるものであるが、枝管を有しない箱形のものであるため、特に、吸気分配通路(２)と呼ぶことにする。図６に示すように、シリンダ(３)の数は３本で、エンジン冷却ファン(２９)側から第１気筒、第２気筒、第３気筒と呼ぶことにする。単一の分配通路入口(４)は、吸気分配通路(２)の第３気筒側の端部に配置され、図６に示すように、シリンダ中心軸線(３０)と平行な向きに見て、フライホイル(２８)側を後として、クランク軸中心軸線(３１)に対して６０°の角度で斜め後に向けられている。スロットルボディ(５)に供給される液体燃料はガソリンである。
【００２２】
燃料供給装置の構造は、次の通りである。
図１(Ａ)に示すように、上記スロットルボディ(５)内にスロットル吸気通路(６)を設け、このスロットル吸気通路(６)内にスロットル弁(７)を配置し、上記スロットルボディ(５)にインジェクタ(８)を取り付け、このインジェクタ(８)の先端部(９)を上記スロットル弁(７)よりも下流で上記スロットル吸気通路(６)内に臨ませ、図１(Ｂ)に示すように、このインジェクタ(８)の先端部(９)に液体燃料噴射口(１０)をあけ、図１(Ａ)に示すように、上記スロットルボディ(５)にガス燃料出口(１１)を設け、このガス燃料出口(１１)を上記スロットル弁(７)の弁軸(１２)よりも上流で上記スロットル吸気通路(６)内に臨ませている。
スロットル吸気通路(６)の吸気通路入口(６ｂ)に吸気パイプ接続管(３４)を取り付け、この吸気パイプ接続管(３４)にエアクリーナ(図外)から導出した吸気パイプ(３５)の導出端部を接続している。図７に示すように、スロットル弁(７)はメカニカルガバナ(４２)を介して調速レバー(４３)に連動連結している。
【００２３】
スロットル弁とインジェクタとの関係は、次の通りである。
図１(Ａ)と図２に示すように、前記スロットル吸気通路(６)の中心軸線(６ａ)の方向を前後方向、前記スロットル弁(７)の弁軸(１２)よりも下流側を後として、前記スロットル弁(７)にバタフライ弁を用い、このスロットル弁(７)の弁軸(１２)の真後ろに前記インジェクタ(８)の先端部(９)を配置し、このインジェクタ(８)の中心軸線(８ａ)からインジェクタ(８)の先端部(９)を経てスロットル吸気通路(６)内に延長されるインジェクタ(８)の延長軸線(８ｂ)を想定し、このインジェクタ(８)の延長軸線(８ｂ)が上記スロットル弁(７)の弁軸(１２)の真後ろを通過するように、上記インジェクタ(８)の向きを設定している。弁軸(１２)の真後ろとは、図２に示すように、弁軸(１２)と平行な向きに見て、弁軸(１２)からスロットル吸気通路(６)の中心軸線(６ａ)に沿って後方に移動した位置をいう。
【００２４】
液体燃料噴射口の構成は、次の通りである。
図１(Ｂ)に示すように、液体燃料噴射口(１０)を４個設け、図１(Ａ)と図２に示すように、上記各液体燃料噴射口(１０)からスロットル吸気通路(６)内に伸びる液体燃料噴射口(１０)の噴射軸線(１０ａ)を想定し、上記インジェクタ(８)の延長軸線(８ｂ)に対して、上記液体燃料噴射口(１０)の噴射軸線(１０ａ)のなす角度が１５°となるように、上記液体燃料噴射口(１０)の向きを設定している。液体燃料噴射口(１０)から噴射された液体燃料が、スロットル弁(７)の弁軸(１２)の真後ろか真後ろ付近を通過し、高速の吸気の直撃を受けにくくし、液体燃料の噴霧の乱れを防止する観点からは、上記角度は３０°以下が望ましく、２５°以下がより望ましく、２０°以下が最も望ましい。また、各液体燃料噴射口(１０)から噴射される液体燃料の噴霧の重なりを抑制し、液体燃料の油滴が結合によって大きくなるのを抑制する観点からは、上記角度は５°以上が望ましく、７°以上がより望ましく、１０°以上が最も望ましい。このため、上記両方の観点から、上記角度は、５°以上で３０°以下が望ましく、７°以上で２５°以下がより望ましく、１０°以上で２０度以下が最も望ましい。液体燃料噴射口(１０)は単数であってもよく、この場合、インジェクタ(８)の延長軸線(８ｂ)は液体燃料噴射口(１０)の噴射軸線(１０ａ)と一致させてもよい。
【００２５】
インジェクタの噴射方向に関する構造は、次の通りである。
図１(Ａ)に示すように、前記吸気分配通路(２)の分配通路入口(４)と前記スロットル吸気通路(６)の吸気通路出口(１３)との間に筒型のインシュレータ(１４)を介在させている。前記液体燃料噴射口(１０)を備えたインジェクタ(８)の先端部(９)が前記スロットル吸気通路(６)の下流側を向くように、インジェクタ(８)を傾け、前記インジェクタ(８)の延長軸線(８ｂ)を上記インシュレータ(１４)の内周面に向け、前記液体燃料噴射口(１０)から噴射された液体燃料が上記スロットル吸気通路(６)の吸気通路出口(１３)の内周面と上記インシュレータ(１４)の内周面とに衝突するようにしている。
この構造に代えて、前記インジェクタ(８)の延長軸線(８ｂ)を上記スロットル吸気通路(６)の吸気通路出口(１３)の内周面に向け、前記液体燃料噴射口(１０)から噴射された液体燃料が上記スロットル吸気通路(６)の吸気通路出口(１３)の内周面と上記インシュレータ(１４)の内周面とに衝突するようにしてもよい。
【００２６】
液体燃料噴射等の制御構造は、次の通りである。
図１(Ａ)に示すように、前記スロットル吸気通路(６)の吸気圧を検出する吸気圧検出センサ(１５)とエンジン回転数を検出するエンジン回転数センサ(１６)とを制御手段(１７)を介して前記インジェクタ(８)に連携させ、上記吸気圧とエンジン回転数とに基づいて上記制御手段(１７)が上記インジェクタ(８)からの液体燃料噴射量と液体燃料噴射時期と図６に示す点火プラグ(３６)の点火時期等を制御している。また、吸気圧検出センサ(１５)は吸気温度を検出する機能を備え、制御手段(１７)は吸気温度に基づいて液体燃料噴射量を補正する。制御手段(１７)はマイコンである。
【００２７】
吸気圧検出センサに関する構造は、次の通りである。
図１(Ａ)に示すように、上記吸気圧検出センサ(１５)を前記インジェクタ(８)とともに前記スロットルボディ(５)に取り付けている。上記吸気圧検出センサ(１５)に上記スロットル吸気通路(６)内の吸気圧を導入する吸気圧導入通路(１８)を前記スロットルボディ(５)のスロットル吸気通路(６)の周壁内に設けている。上記吸気圧導入通路(１８)の通路入口(１８ａ)を、上記インジェクタ(８)よりも上流で、かつ、スロットル弁(７)の弁軸(１２)よりも下流で、上記スロットル吸気通路(６)の内周面に開口させている。
【００２８】
吸気圧導入通路の向きの設定は、次の通りである。
図４(Ａ)に示すように、断面が円形の前記スロットル吸気通路(６)を径方向に横断し、上記吸気圧導入通路(１８)の通路入口(１８ａ)に向かう横断線(１９)と、この横断線(１９)から上記吸気圧導入通路(１８)の通路入口(１８ａ)を経てスロットル吸気通路(６)外に延長される横断延長線(１９ａ)とを想定し、この横断延長線(１９ａ)に対して、上記吸気圧導入通路(１８)のなす角度が６０°となるように、キリ加工される吸気圧導入通路(１８)の向きを設定している。吸気圧導入通路(１８)の方向がスロットル吸気通路(６)の径方向よりも接線方向に近づき、吸気導入通路(１８)の通路断面積を小さくしても、吸気圧導入通路(１８)の通路入口(１８ａ)の開口面積を大きくとることができるようにする観点からは、上記角度は、４５°以上とするのが望ましく、５０°以上とするのがより望ましく、５５°以上とするのがより望ましい。また、吸気圧導入通路(１８)の向きがスロットル吸気通路(６)の内周面の接線方向に近づき過ぎる不具合がなく、吸気圧導入通路(１８)のキリ加工を容易にする観点からは、上記角度は７５°以下とするのが望ましく、７０°以下とするのがより望ましく、６５°以下するのが最も望ましい。このため、上記両方の観点から、上記角度は４５°以上で７５°以下とするのが望ましく、５０°以上で７０°以下とするのがより望ましく、５５°以上で６５°以下とするのが最も望ましい。
【００２９】
図４(Ａ)に示すように、前記スロットル吸気通路(６)の中心軸線(６ａ)と直交する投影図上で、前記横断延長線(１９ａ)に対して、前記吸気圧導入通路(１８)のなす角度(１８α)が６０°となるように、吸気圧導入通路(１８)の向きを設定している。吸気圧導入通路(１８)の向きがスロットル吸気通路(６)の軸長方向に近づき過ぎて、吸気圧導入通路(１８)が不要に長くなる不具合を避け、吸気圧導入通路(１８)のキリ加工を容易にする観点からは、この角度(１８α)は４５°以上とするのが望ましく、５０°以上とするのがより望ましく、５５°以上とするのが最も望ましい。また、吸気圧導入通路(１８)の向きがスロットル吸気通路(６)の内周面の接線方向に近づき過ぎる不具合がなく、吸気圧導入通路(１８)のキリ加工を容易にする観点からは、上記角度(１８α)は７５°以下とするのが望ましく、７０°以下とするのがより望ましく、６５°以下とするのが最も望ましい。このため、上記両方の観点から、上記角度(１８α)は４５°以上で７５°以下とするのが望ましく、５０°以上で７０°以下とするのがより望ましく、５５°以上で６５°以下とするのが最も望ましい。
【００３０】
前記スロットル弁(７)にバタフライ弁を用い、図５(Ｂ)に示すように、前記スロットル吸気通路(６)の中心軸線(６ａ)と上記スロットル弁(７)の弁軸(１２)とに平行な投影図上で、前記吸気圧導入通路(１８)の通路入口(１８ａ)が上記スロットル吸気通路(６)の中心軸線(６ａ)と重なるように、この吸気圧導入通路(１８)の通路入口(１８ａ)を配置している。
この吸気圧導入通路(１８)をその通路出口(１８ｂ)から通路入口(１８ｂ)に向けて下り傾斜させ、上記スロットル吸気通路(６)の中心軸線(６ａ)からこのスロットル吸気通路(６)の通路入口(６ｂ)を経てスロットル吸気通路(６)外に延長される延長軸線(６ｃ)を想定し、図５(Ｂ)に示すように、上記スロットル吸気通路(６)の中心軸線(６ａ)と上記スロットル弁(７)の弁軸(１２)とに平行な投影図上で、上記スロットル吸気通路(６)の延長軸線(６ｃ)に対して、上記吸気圧導入通路(１８)のなす角度(１８β)が６０°となるように、吸気圧導入通路(１８)の向きを設定している。
【００３１】
吸気圧導入通路(１８)に進入した液体燃料を自重で流出しやすくする観点からは、上記角度(１８β)は４５°以上とするのが望ましく、５０°以上とするのがより望ましく、５５°以上とするのが最も望ましい。吸気圧導入通路(１８)をスロットル吸気通路(６)の軸長方向に長くし、吸気導入通路(１８)の通路断面積に比べて、吸気導入通路(１８)の通路入口(１８ａ)の開口面積を大きくとるという観点から、上記角度(１８β)は７５°以下とするのが望ましく、７０°以下とするのがより望ましく、６５°以下とするのが最も望ましい。上記両方の観点からは、上記角度(１８β)は上記角度は４５°以上で７５°以下とするのが望ましく、５０°以上で７０°以下とするのがより望ましく、５５°以上で６５°以下とするのが最も望ましい。
【００３２】
吸気圧検出センサの取付孔の構成は、次の通りである。
図５(Ａ)に示すように、前記スロットルボディ(５)に前記吸気圧検出センサ(１５)の取付孔(２０)をあけ、この取付孔(２０)に前記吸気圧導入通路(１８)を連通させている。上記取付孔(２０)を下向きに形成し、この取付孔(２０)に吸気圧検出センサ(１５)を取り付け、この取付孔(２０)の下方に液体燃料溜め(２１)を設け、この液体燃料溜め(２１)の上部で上記吸気圧導入通路(１８)の通路出口(１８ｂ)を開口させている。
【００３３】
スロットルボディに取り付ける部品配置は、次の通りである。
図３(Ａ)に示すように、スロットル吸気通路(６)の中心軸線(６ａ)の方向を前後方向、前記スロットル弁(７)の弁軸(１２)よりも下流側を後とし、上記スロットル弁(７)の弁軸(１２)と平行な向きに見て、前後方向と直交する方向を左右横方向として、上記スロットル入力アーム(２２)の後に前記インジェクタ(８)を配置し、上記スロットル入力アーム(２２)の横に前記吸気圧検出センサ(１５)の取付孔(２０)のボス(２０ａ)を配置している。前記吸気圧検出センサ(１５)の取付孔(２０)のボス(２０ａ)を前記スロットル入力アーム(２２)の揺動のストッパとして兼用している。
【図面の簡単な説明】
【００３４】
【図１】本発明の実施形態に係る多気筒エンジンのスロットルボディとその周辺部品を説明する図で、図１(Ａ)は縦断側面図、図１(Ｂ)はインジェクタの先端部をインジェクタの中心軸線と平行な向きに見た図である。
【図２】図１(Ａ)のII−II線断面図である。
【図３】図１のスロットルボディを説明する図で、図３(Ａ)は平面図、図３(Ｂ)は側面図である。
【図４】図３(Ｂ)のIV方向矢視図である。
【図５】図１のスロットルボディを説明する図で、図５(Ａ)は図３(Ａ)のV−V線断面図、図５(Ｂ)はスロットルボディの縦断側面図である。
【図６】本発明の実施形態に係る多気筒エンジンの平面図である。
【図７】図６のエンジンの側面図である。
【符号の説明】
【００３５】
(１) シリンダヘッド
(２) 吸気分配通路
(３) シリンダ
(４) 分配通路入口
(５) スロットルボディ
(６) スロットル吸気通路
(６ａ) 中心軸線
(６ｂ) 吸気通路入口
(６ｃ) 延長軸線
(７) スロットル弁
(８) インジェクタ
(８ａ) 中心軸線
(８ｂ) 延長軸線
(９) 先端部
(１０) 液体燃料噴射口
(１２) 弁軸
(１５) 吸気圧検出センサ
(１６) エンジン回転数センサ
(１７) 制御手段
(１８) 吸気圧導入通路
(１８ａ) 通路入口
(１８ｂ) 通路出口
(１８α) 角度
(１８β) 角度
(１９) 横断線
(１９ａ) 横断延長線
(２０) 取付孔
(２０ａ) ボス
(２１) 液体燃料溜め
【図１】
2008038665.tif 000003
【図２】
2008038665.tif 000004
【図３】
2008038665.tif 000005
【図４】
2008038665.tif 000006
【図５】
2008038665.tif 000007
【図６】
2008038665.tif 000008
【図７】
2008038665.tif 000009